(57)【特許請求の範囲】
【請求項１】
湯、水、浴槽残り湯等の異種の洗濯供給水を、洗い動作時とすすぎ動作時とで切り換える切換手段と、
洗濯機への通水の有無を検出する通水検出手段と、
上記洗濯機への注湯開始を指令するスタート手段と、
上記注湯開始指令を受けて洗い動作用に設定された供給水の供給路を開き、その後通水状態に基づいて上記洗濯機の洗い動作用の注湯が完了したと判断することで、すすぎ動作用に設定された供給水の供給路を開く供給制御手段と
を備えた洗濯機注湯装置において、
すすぎ動作用に設定された供給水の供給時での通水状態に基づいて、上記洗濯機のすすぎ動作が終了してその洗濯機の運転が終了したと判断した後、水又は湯の供給路を開いて所定期間待機し、該所定期間内に通水を検出した場合には、上記洗濯機で連続洗濯が行われるものと判断して上記供給制御手段による制御を、前回洗濯時における洗い動作時の状態に戻すリピート手段を備えたことを特徴とする洗濯機注湯装置。
【発明の詳細な説明】
【０００１】
【発明の属する技術分野】
本発明は洗濯機注湯装置に関し、詳しくは全自動洗濯機に注湯する洗濯機注湯装置に関する。
【０００２】
【従来の技術】
従来から、湯、或は水、或は浴槽内の残り湯を洗濯機に注湯するための洗濯機注湯装置が知られている。一般にこのような洗濯機注湯装置は外部操作を行なうためのリモコンを備え、リモコンから注湯開始操作がされることにより選択された注湯モードに基づいて注湯するための注湯路を開く。この状態で洗濯機の運転が開始されると、洗濯機の入水口に設けられた受水弁が開弁されて注湯が開始される。また洗濯機への通水の有無を検出し、その検出値から洗濯機の運転が洗い動作からすすぎ動作に切り替わったと判断すると、選択された注湯モードに基づいて供給水を切替える。その後、洗濯機の運転が終了したと判断した時点で注湯路を閉じて制御を終了する。
【０００３】
【発明が解決しようとする課題】
このような構成では、洗濯機の運転終了後に連続して洗濯する場合にリモコンで再度注湯開始操作を行なう必要があり、何度も連続して洗濯する場合には非常に面倒であった。
本発明の洗濯機注湯装置は上記課題を解決し、洗濯機の連続使用時における使い勝手を向上することを目的とする。
【０００４】
【課題を解決するための手段】
上記課題を解決する本発明の洗濯機出湯装置は、
湯、水、浴槽残り湯等の異種の洗濯供給水を、洗い動作時とすすぎ動作時とで切り換える切換手段と、
洗濯機への通水の有無を検出する通水検出手段と、
上記洗濯機への注湯開始を指令するスタート手段と、
上記注湯開始指令を受けて洗い動作用に設定された供給水の供給路を開き、その後通水状態に基づいて上記洗濯機の洗い動作用の注湯が完了したと判断することで、すすぎ動作用に設定された供給水の供給路を開く供給制御手段と
を備えた洗濯機注湯装置において、
すすぎ動作用に設定された供給水の供給時での通水状態に基づいて、上記洗濯機のすすぎ動作が終了してその洗濯機の運転が終了したと判断した後、水又は湯の供給路を開いて所定期間待機し、該所定期間内に通水を検出した場合には、上記洗濯機で連続洗濯が行われるものと判断して上記供給制御手段による制御を、前回洗濯時における洗い動作時の状態に戻すリピート手段を備えたことを要旨とする。
【０００５】
上記構成を有する本発明の洗濯機注湯装置は、注湯開始指令を受けることにより、洗い動作用に設定された供給水の供給路を開く。そのため、洗濯機の運転が開始されて洗濯機の受水弁が開弁されると、洗い動作用に設定された供給水が洗濯機に注湯される。その後は洗濯機への通水状態を監視し、通水状態に基づいて洗濯機の洗い動作用の注湯が完了したと判断することで、すすぎ動作用に設定された供給水の供給路を開いて洗濯供給水を切り換える。その後も洗濯機への通水状態を監視し、通水状態に基づいて洗濯機の運転が終了したと判断すると、洗濯機への供給水の供給を終了できる状態となるが、運転終了と判断後の所定期間は水又は湯の供給路を開いた状態で通水状態を監視する。そして所定期間が経過しても洗濯機への通水が検出されない場合には注湯制御を終了するが、所定期間内に洗濯機への通水を検出した場合には前回の洗濯機の運転終了後に連続して運転が開始されたと判断して、供給制御手段による制御を注湯開始指令時の状態に戻す。そのため洗濯機の連続した運転の開始時には、洗い動作用に設定された供給水の注湯を自動的に開始することができる。
【０００６】
【発明の実施の形態】
以上説明した本発明の構成・作用を一層明らかにするために、以下本発明の洗濯機注湯装置の好適な実施例について説明する。
図１は、本発明の一実施例としての洗濯機注湯装置を備えた洗濯機への注湯システムの概略構成図である。この注湯システムは大別して給湯器付風呂釜１０と、洗濯機注湯装置６０とにより構成される。
【０００７】
給湯器付風呂釜１０は、通水される水を加熱して出湯する出湯部２０と、浴槽３内の湯を循環させて追い焚きする循環加熱部３０と、これらを制御する給湯コントローラ４０とからなる。
【０００８】
出湯部２０は、水道管１に接続される給水路２１と、給水路２１から供給される水をバーナ２２の燃焼熱により加熱する熱交換器２３と、熱交換器２３で加熱された湯を送り出す流路となる出湯路２４とを備え、出湯路２４は台所やシャワー等に湯を供給するための外部出湯管２に接続される。
【０００９】
循環加熱部３０は、浴槽３に戻り流路４と往き流路５とを介して接続される循環路３１と、浴槽水を循環路３１に循環させるためのポンプ３２と、循環される浴槽水をバーナ３３の燃焼熱により加熱する熱交換器３４とを備える。また、出湯部２０の出湯路２４と循環加熱部３０の循環路３１とは給水弁３５を備えた落込み流路３６で接続され、浴槽３への出湯を可能としている。
【００１０】
給湯コントローラ４０は、図示しない周知の算術論理演算回路を構成するＣＰＵ，ＲＡＭ，ＲＯＭと、各種センサからの信号を入力する入力インタフェースと、各種アクチュエータに駆動信号を出力する出力インタフェース等から構成される。また、設定温度の設定等の外部操作を行なうための給湯リモコン５０が接続される。
【００１１】
給湯リモコン５０は設定温度を設定するための温度設定スイッチを備える。そして給湯コントローラ４０は、出湯部２０への通水を検出することによりバーナ２２の燃焼動作を開始させ、出湯部２０の出湯温度を給湯リモコン５０で設定された設定温度に近づけるようにバーナ２２の燃焼量を制御するといった出湯温制御を行なう。
【００１２】
洗濯機注湯装置６０は、水道管１に接続される水供給路６１と外部出湯管２に接続される湯供給路６２とを備え、それぞれの流路を開閉する給水電磁弁６３，給湯電磁弁６４を備える。水供給路６１と湯供給路６２とはそれぞれの電磁弁６３，６４の下流側で合流し、通水流量を検出する流量センサ６５と、縁切り弁としてのホッパー６６とを介して主流路６７に接続される。更に、往き流路５と主流路６７とを接続する浴槽水供給路７０が形成され、浴槽水供給路７０には通水を検出する水流スイッチ６８と、逆流防止のための逆止弁６９とが設けられる。また、往き流路５の浴槽水供給路７０との分岐部には、循環加熱部３０からの浴槽水の流路を浴槽３に戻す浴槽側或は洗濯機９０に送る洗濯機側の何れかに切替える切替弁７１が設けられる。また主流路６７の浴槽水供給路７０との合流部より下流側には、温度を検出するための温度センサ７２が設けられ、更にその下流側で洗濯機９０に注湯するための注湯路９１に接続される。また、これらを制御する注湯コントローラ７３を備える。
尚、本実施例では、水流スイッチ６８は水道圧が直接かかる箇所では耐久的に問題があることから湯及び水の通水検知には羽根車式の流量センサ６５を用い、また流量センサ６５は流水中の異物により故障する恐れがあることから残り湯の通水検知には水流スイッチ６８を用いているが、このような構成に限ったものではなく、例えば湯，水，残り湯の共通流路に流量センサ或は水流スイッチを設けてもよい。
【００１３】
切替弁７１にはリミットスイッチが設けられ、このリミットスイッチからの情報により、注湯コントローラ７３は切替弁７１がどちら側に切り替わっているかを判断することができる。
【００１４】
注湯コントローラ７３は、図示しない周知の算術論理演算回路を構成するＣＰＵ，ＲＡＭ，ＲＯＭと、各種センサからの信号を入力する入力インタフェースと、各種アクチュエータに駆動信号を出力する出力インタフェース等から構成される。また、注湯モードの切替え等の外部操作を行なうための注湯リモコン８０が接続される。
【００１５】
注湯リモコン８０は、洗濯機注湯装置６０の電源となる運転スイッチと、注湯モードを選択するための選択スイッチと、選択された注湯モード等を表示するための表示パネルと、注湯動作を開始させるためのスタートスイッチとを備える。注湯モードは、洗濯機９０の洗い動作時の供給源と、すすぎ動作時の供給源との組合わせで、洗いモードとして水，湯，残り湯の３種類から選択でき、更にすすぎモードとして水，湯の２種類から選択できる。但し、洗いモードが水の場合にはすすぎモードも水に決定され、選択できる注湯モードのパターンは５種類となる。
【００１６】
また、注湯コントローラ７３と給湯コントローラ４０とは通信線７４で接続され、残り湯洗いモードの選択の有無を表わす接点情報を注湯コントローラ７３から給湯コントローラ４０に送信する。このように、単に接点情報を送るだけであるため、簡単な構成により通信することができる。また給湯コントローラ４０は、残り湯洗いモードの選択時にポンプ３２を駆動させることで、浴槽３内の残り湯を洗濯機９０へ供給する。
【００１７】
次に、注湯コントローラ７３の行なう制御処理について、図２のフローチャートを用いて説明する。
注湯リモコン８０の運転スイッチがオンされると（Ｓ１）、運転ランプとモード選択ランプとを点灯させる（Ｓ２，Ｓ３）。その後、使用者により注湯モードが選択されてスタートスイッチが押されると（Ｓ４）、選択された洗いモードをチェックし、残り湯洗いモードである場合には（Ｓ５：ＹＥＳ）残り湯洗いルーチンに入り（Ｓ６）、スタートランプを点灯させる（Ｓ７）。そして、水流スイッチ６８がオフしているかどうかチェックする。ここで水流スイッチ６８がオンしている場合には（Ｓ８：ＮＯ）、水流スイッチ６８の異常と判断してエラー表示を行なうが（Ｓ９）、水流スイッチ６８が異常であっても洗濯機９０への注湯は可能であるため、制御を継続させる。次に、切替弁７１の切替位置をリミットスイッチの情報によりチェックする。浴槽水の追焚動作を行なうため切替弁７１は通常浴槽側となるように制御されているため、このチェックにより洗濯機側である場合には（Ｓ１０：ＮＯ）、異常と判断してエラー表示すると共に（Ｓ１１）スタートランプを消灯し（Ｓ７５）、更に１時間経過後モード選択ランプ，運転ランプを消灯して制御を終了する（Ｓ７６，Ｓ７７）。またステップ１０にて切替弁７１が浴槽側であれば（Ｓ１０：ＹＥＳ）、正常であると判断し切替弁７１を洗濯機側に切替えて（Ｓ１２）、正常に切替わったかどうかをリミットスイッチの情報により同様にチェックする（Ｓ１３）。このように切替弁７１を注湯側に切替えることで、循環路３１→浴槽水供給路７０→主流路６７→注湯路９１といった残り湯の供給流路が形成される。
【００１８】
こうして残り湯の流路を形成した状態でポンプ３２を駆動させ（Ｓ１４）、水流スイッチ６８により通水ありの状態が５秒間継続して検出されるかどうかチェックすることで、洗濯機９０に注湯されているかどうかを判断する。洗濯機９０に注湯されていれば通水が検出されるが（Ｓ１５：ＹＥＳ）、５分間経過しても通水が検出されない場合には（Ｓ１６：ＹＥＳ）、洗濯機９０の運転が開始されていないか、或は浴槽３内に残り湯がないと判断できるため、ポンプ３２の駆動を停止させ（Ｓ１７）、切替弁７１を浴槽側に切替えて（Ｓ１８）異常チェックし（Ｓ１９）、給水電磁弁６３を開弁して（Ｓ２０）、待機ルーチンに移る（Ｓ２１）。
【００１９】
待機ルーチンでは、洗濯機９０の受水弁９２が開弁するまでの待機状態の制御を行なう。まず給水電磁弁６３を開弁した状態で、流量センサ６５により通水ありの状態が５秒間継続して検出されるかどうかをチェックする。ここで通水が検出された場合には（Ｓ２２：ＹＥＳ）、浴槽３内に残り湯がなかったか、洗濯機９０の運転が開始されたと判断して待機ルーチンを終了する（Ｓ２３）。しかし、３０分間経過しても通水を検出できない場合には（Ｓ２４：ＹＥＳ）、洗濯機９０が予約タイマーによる待機状態に入っていると判断して、周期的なチェックに切替える。このチェックでは、まず給水電磁弁６３を閉弁し（Ｓ２５）、その状態で３分間待機する。そして３分間経過後に（Ｓ２６：ＹＥＳ）給水電磁弁６３を開弁し（Ｓ２７）、流量センサ６５により通水ありの状態が５秒間継続して検出されるかどうかをチェックする。ここで通水が検出された場合には（Ｓ２８：ＹＥＳ）受水弁９２が開弁されたと判断して待機ルーチンを終了するが（Ｓ２３）、１０秒間経過しても検出されない場合には（Ｓ２９：ＹＥＳ）、給水電磁弁６３を再び閉弁して（Ｓ２５）３分間待機する（Ｓ２６）。このような制御を繰り返すことにより給水電磁弁６３を周期的に開弁して受水弁９２が開弁したかどうかチェックするのである。その後、１８時間経過しても通水を検出できない場合には（Ｓ３０：ＹＥＳ）、使用者による誤操作であったと判断し、給水電磁弁６３を閉弁して（Ｓ３１）スタートランプを消灯し（Ｓ７５）、更に１時間経過後モード選択ランプ，運転ランプを消灯して制御を終了する（Ｓ７６，Ｓ７７）。
【００２０】
一方、待機ルーチンにおいて通水が検出された場合には、洗濯機９０の運転が開始されたと判断して洗いルーチンに戻り、給水電磁弁６３を閉弁し（Ｓ３２）切替弁７１を洗濯機側に切替えて（Ｓ３３）異常チェックした後（Ｓ３４）ポンプ３２を駆動させ（Ｓ３５）、洗濯機９０に残り湯を供給する。このようにポンプ３２を駆動させた状態で水流スイッチ６８により通水の有無を検出し続け、通水が検出されない状態が２分間継続した時点で（Ｓ３６：ＹＥＳ）、洗濯機９０の洗い動作が終了したと判断して、ポンプ３２を停止させ（Ｓ３８）切替弁７１を浴槽側に切替えて（Ｓ３９）異常チェックした後（Ｓ４０）、給水電磁弁６３を開弁して（Ｓ４１）すすぎルーチンに移行する（Ｓ６５）。つまり、洗濯機９０の受水弁９２が２分間以上継続して閉弁することで、洗濯機９０が洗い動作を終了して排水動作を行ない、すすぎ動作に移ったと判断するのである。ここで、２分間の継続によりチェックするのは、洗濯機９０の洗い動作中に受水弁９２の開閉により断続的な注湯制御が行なわれた場合にも、すすぎ動作に移ったと誤判定しないようにするためである。また、通水されない状態が２分間継続しなかった場合にも（Ｓ３６：ＮＯ）、通水開始から１０分間経過した時点で洗濯機９０の洗い動作が終了していると判断して（Ｓ３７：ＹＥＳ）、すすぎルーチンに移行する（Ｓ６５）。
【００２１】
一方ステップ５において、湯洗いが選択されている場合には（Ｓ４２：ＹＥＳ）、湯洗いルーチンに入る（Ｓ４３）。そしてスタートランプを点灯させ（Ｓ４４）、切替弁７１の異常チェックの後（Ｓ４５）、給湯電磁弁６４を開弁する（Ｓ４６）。このように給湯電磁弁６４を開弁することで、出湯路２４→外部出湯管２→湯流路６２→主流路６７→注湯路９１といった湯の供給流路が形成される。そして、流量センサ６５により通水ありの状態が５秒間継続して検出されるかどうかチェックすることで、洗濯機９０の運転が開始されたかどうかを判断する。洗濯機９０の運転が開始されていれば通水が検出されるが（Ｓ４７：ＹＥＳ）、５分間経過しても通水を検出できない場合には（Ｓ４８：ＹＥＳ）、洗濯機９０の運転が開始されていないと判断できるため、給湯電磁弁６４を閉弁し（Ｓ４９：ＹＥＳ）給水電磁弁６３を開弁して（Ｓ５０）待機ルーチンに移り（Ｓ２１）、通水が検出されるまで待機する。その後通水が検出された時点で洗濯機９０の運転が開始されたと判断し、給水電磁弁６３を閉弁し（Ｓ５１）給湯電磁弁６４を開弁する（Ｓ５２）。そのため給湯器付風呂釜１０の出湯部２０に通水されてバーナ２２が燃焼動作を開始し、給湯リモコン５０で設定された温度に加熱された湯が洗濯機９０に供給される。このように給湯電磁弁６４の開弁状態を保持した状態で流量センサ６５により通水の有無を検出し続け、通水が検出されない状態が２分間継続した時点で（Ｓ５３：ＹＥＳ）、洗濯機９０の洗い動作が終了したと判断して、給湯電磁弁６４を閉弁し（Ｓ５５）給水電磁弁６３を開弁して（Ｓ５６）すすぎルーチンに移行する（Ｓ６５）。また給湯電磁弁６４を閉弁することで、出湯部２０への通水がなくなりバーナ２２の燃焼動作が停止する。一方、ステップ５３において通水されない状態が２分間継続しなかった場合にも（Ｓ５３：ＮＯ）、通水開始から１０分間経過した時点で洗濯機９０の洗い動作が終了していると判断して（Ｓ５４：ＹＥＳ）、すすぎルーチンに移行する（Ｓ６５）。
【００２２】
またステップ５において、水洗いが選択されている場合には（Ｓ４２：ＮＯ）、水洗いルーチンに入る（Ｓ５７）。そしてスタートランプを点灯させ（Ｓ５８）、切替弁７１の異常チェックの後（Ｓ５９）、給水電磁弁６３を開弁する（Ｓ６０）。このように給水電磁弁６３を開弁することで、水道管１→水流路６１→主流路６７→注湯路９１といった水の供給流路が形成される。そして、流量センサ６５により通水ありの状態が５秒間継続して検出されるかどうかチェックすることで、洗濯機９０の運転が開始されたかどうかを判断する。洗濯機９０の運転が開始されていれば通水が検出されるが（Ｓ６１：ＹＥＳ）、５分間経過しても通水を検出できない場合には（Ｓ６２：ＹＥＳ）、洗濯機９０の運転が開始されていないと判断して待機ルーチンに移り（Ｓ６３）、通水が検出されるまで待機する。その後通水が検出された時点で洗濯機９０の運転が開始されたと判断し、給水電磁弁６３の開弁状態をそのまま継続させて、洗濯機９０に水を供給する。このように給水電磁弁６３の開弁状態を保持した状態で流量センサ６５により通水の有無を検出し続け、通水が検出されない状態が２分間継続した時点で（Ｓ６４：ＹＥＳ）、洗濯機９０の洗い動作が終了したと判断してすすぎルーチンに移行する（Ｓ６５）。
【００２３】
すすぎルーチンでは、まず待機ルーチンに移り（Ｓ２１）、通水が検出されるまで待機する。そして通水が検出されると、洗濯機９０ですすぎ動作が開始されたと判断して選択されているすすぎモードをチェックし、湯すすぎモードである場合には（Ｓ６６）湯すすぎルーチンに入り（Ｓ６７）、給水電磁弁６３を閉弁し（Ｓ６８）、給湯電磁弁６４を開弁する（Ｓ６９）。そのため給湯器付風呂釜１０の出湯部２０に通水されてバーナ２２が燃焼動作を開始し、給湯リモコン５０で設定された温度に加熱された湯が洗濯機９０に供給される。その後、流量センサ６５により通水が検出されない状態が１０分間継続した時点で（Ｓ７０：ＹＥＳ）、すすぎ動作が終了して洗濯機９０への注湯動作が完了したと判断する。そのため給湯電磁弁６４を閉弁するが（Ｓ７１）、洗濯機９０の連続使用が行なわれる場合を想定して、給水電磁弁６３を開弁した状態で待機する（Ｓ７２）。そして、通水が検出されない状態が３０分間継続した時点で（Ｓ７３：ＹＥＳ）、連続使用が行なわれないと判断して、給水電磁弁６３を閉弁すると共に（Ｓ７４）スタートランプを消灯し（Ｓ７５）、更に１時間経過後モード選択ランプ，運転ランプを消灯して制御を終了する（Ｓ７６，Ｓ７７）。一方ステップ７３において通水を検出した場合には（Ｓ７３：ＮＯ）、洗濯機９０の連続使用がされると判断して、給水電磁弁６３を閉弁して（Ｓ７８）ステップ５に戻り、前回設定された注湯モードに従って制御する。
【００２４】
またステップ６６において、水すすぎモードである場合には（Ｓ６６：ＮＯ）水すすぎルーチンに入り（Ｓ７９）、給水電磁弁６３の開弁状態をそのまま継続させる。その後流量センサ６５により通水が検出されない状態が１０分間継続した時点で（Ｓ８０：ＹＥＳ）、すすぎ動作が終了して洗濯機９０への注湯動作が完了したと判断する。そして、洗濯機９０の連続使用に備えて待機するといった同様の制御を行なう。
【００２５】
尚、残り湯洗いモードにおいて浴槽３内に残り湯がない場合には洗いルーチンにおいては注湯されないためすすぎモードに移った後設定されているすすぎモードに基づいて湯或は水が供給され、洗い動作及びすすぎ動作が行なわれる。
【００２６】
以上説明したように、本実施例の洗濯機注湯装置６０によれば、洗濯機９０への注湯が完了した後すぐに通水を検出した場合には同一の注湯モードで再び制御を開始することで、洗濯機９０を連続使用する場合に使用開始毎に注湯リモコン８０で開始操作しなければいけないといった煩わしさを解消することができるため、使い勝手がよい。また、通水検出されない状態が３０分間継続した時点で連続使用が行なわれないと判断して制御を終了するため、給水電磁弁６３を開弁状態に保持することにより消費電力が過剰に大きくなることを防ぐことができる。。
【００２７】
また、洗濯機９０が長時間予約待機している場合には、給水電磁弁６３により３分間の閉弁状態と１０秒間の開弁状態とを交互に繰り返し、洗濯機９０で洗い動作が開始されたかどうかを周期的にチェックすることで、待機中に給水電磁弁６３が開弁している時間を短くすることができるため、待機中常に開弁させる場合に比べ消費電力を大幅に低減させることができ、また発熱による劣化を防いで耐久性を良くすることができる。更に、待機ルーチンでも最初の３０分間は給水電磁弁６３を開弁状態に保持するため、単に洗い開始操作が遅れた場合には即座に注湯を開始させることができる。加えて、１８時間経過した場合には使用者による誤操作と判断して制御を終了させるため、誤操作にもかかわらず給水電磁弁６３を開閉し続けるといったことを少なくすることができる。
【００２８】
また、残り湯洗いモードにおいても待機状態には給水電磁弁６３の開弁状態で通水の有無を検出するといった制御により、待機中にポンプ３２による騒音が発生することを防ぐことができる。また、切替弁７１を浴槽側に切替えて待機するため、待機中にも浴槽水の追い焚きが可能となる。
【００２９】
また、残り湯の供給時に給湯付風呂釜１０のポンプ３２を利用するため、新たにポンプを設ける必要がなく、構成を簡単にしてコストを低減することができる。更に、洗濯機９０で洗い動作からすすぎ動作に移ったことを、２分間継続した通水なし状態を検出することにより判断することで、洗濯機９０の洗い動作時に水電磁弁９２の開閉により断続的な注湯制御がなされても洗い動作が終了したと誤判断することを少なくすることができる。加えて、注湯開始から１０分間経過した場合には洗濯機９０で洗い動作からすすぎ動作に移ったと判断することで、洗濯機９０がすすぎ動作を行なっているにもかかわらずすすぎモードに移らないといった不具合を少なくすることができる。
【００３０】
以上本発明の実施例について説明したが、本発明はこうした実施例に何等限定されるものではなく、本発明の要旨を逸脱しない範囲において、種々なる態様で実施し得ることは勿論である。
例えば、洗濯機注湯装置は給湯器と別体のものに限らず、給湯器に組込まれて一体とした構成のものであってもよい。
【００３１】
【発明の効果】
以上詳述したように、本発明の洗濯機注湯装置によれば、連続して洗濯される場合には洗い動作用に設定された供給水の注湯を自動的に開始することで、洗濯運転開始の度に注水開始を指令するための操作をしなければいけないといった煩わしさを解消できるため、使い勝手がよい。
【図面の簡単な説明】
【図１】一実施例としての洗濯機注湯装置を備えた洗濯機への注湯システムの概略構成図である。
【図２】注湯コントローラの行なう制御処理を表わすフローチャートである。
【図３】注湯コントローラの行なう制御処理を表わすフローチャートである。
【図４】注湯コントローラの行なう制御処理を表わすフローチャートである。
【図５】注湯コントローラの行なう制御処理を表わすフローチャートである。
【図６】注湯コントローラの行なう制御処理を表わすフローチャートである。
【図７】注湯コントローラの行なう制御処理を表わすフローチャートである。
【符号の説明】
１０…給湯器付風呂釜、  ２０…出湯部、  ３０…循環加熱部、
４０…給湯コントローラ、  ５０…給湯リモコン、  ６０…洗濯機注湯装置、
６１…水供給路、  ６２…湯供給路、  ６３…給水電磁弁、
６４…給湯電磁弁、  ６５…流量センサ、  ６７…主流路、
６８…水流スイッチ、  ７０…浴槽水供給路、  ７２…温度センサ、
７３…注湯コントローラ、  ８０…注湯リモコン、  ９０…洗濯機。
【図１】
0003824379.tif 000002
【図２】
0003824379.tif 000003
【図３】
0003824379.tif 000004
【図４】
0003824379.tif 000005
【図５】
0003824379.tif 000006
【図６】
0003824379.tif 000007
【図７】
0003824379.tif 000008